(57)【要約】【課題】床下に配線スペースのない場合に、介在物を設けずに配線スペースを確保することが可能であり、背面板又は側面板の取り外しや交換による背面板又は側面板の保管が不要な電気機器収納筐体の入出線構造を提供する。【解決手段】枠体１と、枠体１に取り付けられる扉体と背面板２、及び側面板３とからなる電気機器収納筐体であって、背面板２及び側面板３の下部に設けられる通線開口と、通線開口４を被覆すると共に、反転可能なカバー５を枠体１、又は背面板２、若しくは側面板３に取り付け、通線開口４が必要でない場合にはカバー５によって通線開口４を被覆し、床下に配線スペースがなく、通線開口４が必要な場合にはカバー５を反転させて通線開口４を形成する。【選択図】図３
2011228421.tif 000002
【特許請求の範囲】
【請求項１】
枠体と、枠体に取り付けられる扉体と背面板、及び側面板とからなる電気機器収納筐体であって、前記背面板及び側面板の下部に設けられる通線開口と、該通線開口を被覆すると共に、反転可能なカバーを前記枠体又は前記背面板、若しくは前記側面板に着脱可能に設けたことを特徴とする電気機器収納筐体の入出線構造。
【請求項２】
前記カバーにおいて、前記枠体に取り付けられると共に孔部を設け、該孔部と嵌合する位置に、前記背面板又は前記側面板の略底面に凸部を設け、前記カバーの反転によっても前記孔部と前記凸部の嵌合が可能であることを特徴とする請求項１に記載の電気機器収納筐体の入出線構造。
【請求項３】
前記カバーにおいて、
前記背面板又は前記側面板の略底面外側に固定手段によって取り付けられ、前記カバーの反転によっても前記背面板又は前記側面板の略底面内側への取り付けが可能であることを特徴とする請求項１、及び請求項２に記載の電気機器収納筐体の入出線構造。
【発明の詳細な説明】
【技術分野】
【０００１】
本発明は、電気機器収納筐体の入出線構造に関するものである。
【背景技術】
【０００２】
従来、電気機器収納筐体の入出線構造には、電気機器収納筐体の底面に設けた開口より床下配線を行うか、若しくは床下に配線スペースがない場合には、電気機器収納筐体の背面又は側面より配線配線を行うものがある。
【０００３】
しかし、上記した従来技術による電気機器収納筐体の入出線構造では、配線を行う際に、電気機器収納筐体の背面又は側面のパネルを外すこととなり、外したパネルを保管する場所が必要となるという欠点がある。
【０００４】
この改善策として、特許文献１の図１に記載されているような、設置用基台を、脚部に支持された基礎フレームを有する基本基台と、基礎フレームに接続される増設フレームを有する連結基台とからなるものとして、増設フレームには水平方向に突出する鍔板を設け、基礎フレームには鍔板が嵌め込まれる段差部を鍔板の厚み分低くして形成したもののように、電気機器収納筐体と床面との間に介在物を設けて配線スペースを設ける方法が考えられる。
【先行技術文献】
【特許文献】
【０００５】
【特許文献１】特開２００６−０１３０４１号公報
【発明の概要】
【発明が解決しようとする課題】
【０００６】
しかしながら、特許文献１に記載の発明では、電気機器収納筐体と床面との間に介在物を設けているため電気機器収納筐体の設置に必要な高さ方向の寸法が大きくなるという欠点がある。
【課題を解決するための手段】
【０００７】
上記した課題を解決するためになされた本発明の電気機器収納筐体の入出線構造は、枠体と、枠体に取り付けられる扉と背面板、及び側面板とからなる電気機器収納筐体であって、枠体、又は背面板、若しくは側面板に取付手段によって反転可能にカバーを設けてなる。
【発明の効果】
【０００８】
本発明の電気機器収納筐体によれば、反転可能なカバーを設けたため、床下配線が可能な場合にはカバーによって通線開口を被覆し、床下配線ができない場合にはカバーを反転させて通線開口を形成することが可能である。又、通線開口を形成するために反転させたカバーは枠体、又は背面板、若しくは側面板に収納可能であるため、外したカバーの保管場所を設ける必要をなくすことが可能である。
【０００９】
又、電気機器収納筐体と床面との間に介在物を設けずに配線スペースを確保することが可能であるため、コストを減らすことが可能である。又、背面板又は側面板を通常サイズの物から配線スペースを確保するためにあらかじめ高さ寸法を短く形成した物へ取り替える必要もないため、少ない部材点数及び短い作業時間で通線スペースを確保することが可能である。
【図面の簡単な説明】
【００１０】
【図１】図１は本発明の実施例１における、カバーによって通線開口を被覆する際の枠体の分解斜視図である。
【図２】図２は図１のＡ部における、部分拡大斜視図であり、（Ａ）は通線開口を被覆した状態を示す図であり、（Ｂ）はカバーを反転させて通線開口を形成した状態を示す図である。
【図３】図３は本発明の実施例２における、カバーによって通線開口を被覆する際の側面板の斜視図である。
【図４】図４は図３のＢ部における、部分拡大斜視図であり、（Ａ）は通線開口を被覆する際の状態を示す図であり、（Ｂ）はカバーを反転させて通線開口を形成する際の状態を示す図である。
【図５】図５は本発明の実施例１及び実施例２を背面板及び側面板に使用した電気機器収納筐体下部の拡大斜視図である。
【図６】図６は図５のＣ部における、部分拡大斜視図であり、（Ａ）は通線開口を被覆した状態を示す図であり、（Ｂ）はカバーを反転させて通線開口を形成した状態を示す図である。
【図７】図７は従来技術における、設置用基台の斜視図である。
【発明を実施するための形態】
【００１１】
本発明では、枠体、又は背面板、若しくは側面板にカバーを反転可能に設けたため、床下に配線スペースがない場合でも、電気機器収納筐体と床面との間に介在物を設けずに、又、背面板及び側面板を交換する必要もなく、カバーの反転によって配線開口を形成することを可能とした。
【実施例１】
【００１２】
枠体１と、枠体１に取り付けられる扉体と背面板２、及び側面板３とからなる電気機器収納筐体であって、背面板２及び側面板３の下部に設けられる通線開口４と、通線開口４を被覆すると共に、表裏反転可能なカバー５を枠体１に取り付けた。カバー５には孔部７を設けると共に孔部７と嵌合する位置に、背面板２又は側面板３の略底面に凸部６を設けてカバー５の表裏反転によっても孔部７と凸部６の嵌合を可能とし、枠体１に軸支することにより回動で表裏の反転を行う。通線開口４が必要でない場合には、カバー５によって背面板２又は側面板３の下部に設けられる通線開口４を被覆し、背面板２又は側面板３の略底面に設けた凸部６をカバー５に設けた孔部７に嵌合させて背面板２又は側面板３の取り付けを行う。通線開口４が必要な場合には、カバー５を表裏反転させて通線開口４を形成し、背面板２又は側面板３の略底面に設けた凸部６をカバー５に設けた孔部７に嵌合させて背面板２又は側面板３の取り付けを行う。
【００１３】
これにより、床下配線が可能な場合にはカバー５によって通線開口４を被覆し、床下配線ができない場合にはカバー５を表裏反転させて通線開口４を形成することが可能となる。又、通線開口４を形成するために反転させたカバー５は枠体１に収納可能であるため、カバー５の保管場所を設ける必要をなくすことが可能である。又、電気機器収納筐体と床面との間に介在物を設けずに配線スペースを確保することが可能となるため、コストを減らすことが可能である。又、背面板２又は側面板３を通常サイズの物から配線スペースを確保するためにあらかじめ高さ寸法を短く形成した物へ取り替える必要もなくなり、少ない部材点数及び短い作業時間で通線スペースを確保することが可能である。
【実施例２】
【００１４】
枠体１と、枠体１に取り付けられる扉体と背面板２、及び側面板３とからなる電気機器収納筐体であって、背面板２及び側面板３の下部に設けられる通線開口４と、通線開口４を被覆すると共に、上下反転可能なカバー５を背面板２又は側面板３に取り付けた。カバー５は背面板２又は側面板３の略底面外側に固定手段によって取り付けられ、カバー５の上下反転によっても背面板２又は側面板３の略底面内側への取り付けが可能となり、上下反転させたカバー５は背面板２又は側面板３の内側へ固定手段によって取り付けられる。通線開口４が必要でない場合には、カバー５は背面板２又は側面板３の略底面外側に固定手段によって取り付けられ、背面板２又は側面板３と共に枠体１へ取り付けられて通線開口４を被覆する。通線開口４が必要な場合には、カバー５を上下反転させて通線開口４を形成し、上下反転させたカバー５を背面板２又は側面板３の略底面内側へ固定手段によって取り付けることで通線開口４を形成する。
【００１５】
これにより、床下配線が可能な場合にはカバー５によって通線開口４を被覆し、床下配線ができない場合にはカバー５を反転させて通線開口４を形成することが可能となる。又、通線開口４を形成するために反転させたカバー５は背面板２又は側面板３の内側に収納可能であるため、外したカバー５の保管場所を設ける必要をなくすことが可能である。又、電気機器収納筐体と床面との間に介在物を設けずに配線スペースを確保することが可能となるため、コストを減らすことが可能である。又、背面板２又は側面板３を通常サイズの物から配線スペースを確保するためにあらかじめ高さ寸法を短く形成した物へ取り替える必要もなくなり、少ない部材点数及び短い作業時間で通線スペースを確保することが可能である。
【産業上の利用可能性】
【００１６】
通線開口を被覆するカバーを、反転可能、且つ収納可能に設けたため、電気機器収納筐体と床面との間に介在物を設ける必要がなく、背面板又は側面板の交換による背面板又は側面板の保管を不要とすることが可能となる。
【符号の説明】
【００１７】
１    枠体
２    背面板
３    側面板
４    通線開口
５    カバー
６    凸部
７    孔部
８    配線
９    設置用基台
【図１】
2011228421.tif 000003
【図２】
2011228421.tif 000004
【図３】
2011228421.tif 000005
【図４】
2011228421.tif 000006
【図５】
2011228421.tif 000007
【図６】
2011228421.tif 000008
【図７】
2011228421.tif 000009